(57)【特許請求の範囲】
【請求項１】
パチンコホールに配列された各パチンコ機の上方に装架されているパチンコ球の分配樋からパチンコ球が導入される各シュート管と、前記各パチンコ機の球タンクとの間にそれぞれ設置され、前記各シュート管の出口から放出されたパチンコ球を導入してクリーニングした後、そのパチンコ球を前記各パチンコ機の球タンクにそれぞれ供給するパチンコ球用球磨きユニットであって、
前記シュート管の出口に一端が接続されて連通され他端が前記パチンコ機の球タンクの上方に臨む球誘導通路が内部に形成された球誘導ケースと、
前記球誘導ケースの内部に設置されかつ球送りモータによって一方向に回転駆動されて前記球誘導通路のパチンコ球を順送りする球送り部材と、
前記球誘導ケースの内部に設置されかつ前記球誘導通路を通行するパチンコ球に接しながらクリーニングするクリーニング部材と、
を備えてユニット化されていることを特徴とするパチンコ球用球磨きユニット。
【発明の詳細な説明】
【０００１】
【産業上の利用分野】
この発明はパチンコ機で使用されるパチンコ球をクリーニング処理するための球磨きユニットに関する。
【０００２】
【従来の技術】
従来ではパチンコ球のクリーニングに際し、パチンコホール内の１群のパチンコ機から排出されたパチンコ球群が集められて再び各パチンコ機に分配されるまでにパチンコ球が通過する循環経路中に設置された大型の球磨き装置によって多量のパチンコ球を一括してクリーニング処理していた。
【０００３】
【発明が解決しようとする課題】
従来のパチンコ球のクリーニング処理方法では装置が大がかりとなって設備費が高くなり、パチンコ機の台数が比較的少ないパチンコホールでは球磨き装置の処理能力がパチンコ機の台数に対して過大となる問題点がある。
本発明は各パチンコ機で使用するパチンコ球をパチンコ機毎に的確にクリーニング処理することを課題とするものである。
【０００４】
【課題を解決するための手段】
この発明に係るパチンコ球用球磨きユニットは、パチンコホールに配列された各パチンコ機の上方に装架されているパチンコ球の分配樋からパチンコ球が導入される各シュート管と、前記各パチンコ機の球タンクとの間にそれぞれ設置され、前記各シュート管の出口から放出されたパチンコ球を導入してクリーニングした後、そのパチンコ球を前記各パチンコ機の球タンクにそれぞれ供給するパチンコ球用球磨きユニットであって、
前記シュート管の出口に一端が接続されて連通され他端が前記パチンコ機の球タンクの上方に臨む球誘導通路が内部に形成された球誘導ケースと、
前記球誘導ケースの内部に設置されかつ球送りモータによって一方向に回転駆動されて前記球誘導通路のパチンコ球を順送りする球送り部材と、
前記球誘導ケースの内部に設置されかつ前記球誘導通路を通行するパチンコ球に接しながらクリーニングするクリーニング部材と、
を備えてユニット化されていることを特徴とする。
【０００５】
【作用】
前記構成において、パチンコホールに配列された各パチンコ機の上方に装架されているパチンコ球の分配樋からパチンコ球が導入される各シュート管の出口に、パチンコ球用球磨きユニットの球誘導通路の一端が接続されて連通され、球誘導通路の他端がパチンコ機の球タンクの上方に臨んでパチンコ球用球磨きユニットがそれぞれ設置される。
ここで、分配樋からパチンコ球が導入される各シュート管から放出されたパチンコ球は、これら各シュート管の出口に一端が接続された各球誘導通路にそれぞれ送り込まれる。各球誘導通路に送り込まれたパチンコ球は球送り部材によって順送りされる。そして、各パチンコ球がクリーニング部材に接して通行することによって、各パチンコ球がクリーニング部材によってクリーニングされて球誘導通路の他端からパチンコ機の球タンクに放出されて供給される。
【０００６】
【発明の効果】
この発明によれば、パチンコホールに配列された各パチンコ機の上方に装架されているパチンコ球の分配樋からパチンコ球が導入される各シュート管と、前記各パチンコ機の球タンクとの間にパチンコ球用球磨きユニットをそれぞれ設置するだけで、各シュート管から放出される各パチンコ球を先方へ給送しながら的確にクリーニング処理することができ、パチンコ球を給送してクリーニングする機構をユニット化および小型化してその設置スペースを縮小することができる。
【０００７】
また、球磨きユニットがパチンコ機毎に設置され、各パチンコ機で使用するパチンコ球をこれら各パチンコ機の球タンクに供給（放出）する直前でクリーニングするので、クリーニング処理能力がパチンコ機の台数に対して過不足となる不具合を解消することができる。
【０００８】
【実施例】
次に、本発明の第１実施例を図１〜図４にしたがって説明する。
パチンコ球がパチンコ機外からパチンコ機内へ供給され、ゲームに使用されたパチンコ球がパチンコ機内からパチンコ機外へ放出されるように構成されたパチンコ機の本体枠において、遊技盤が枠内にセットされる基枠１の下部に形成されたセット板２の後面には遊技者に払い出される賞品球を下皿上へ送り出す賞品球放出ケース３が連接されている。
【０００９】
セット板２の後面には賞品球放出ケース３側へ先下り状に傾斜して設置され、遊技盤面に打出されて入賞し、遊技盤の裏側から転り落ちたセーフ球をパチンコ機外へ誘導するセーフ球誘導樋４が連接され、このセーフ球誘導樋４上にはセーフ球が通行するセーフ球放出流路５が形成されている。
【００１０】
セット板２の後面には、賞品球放出ケース３の上方にセーフ球誘導樋４側へ先下り状に傾斜して設置され、遊技盤面に打出されてアウト口６に落入し、遊技盤の裏側から転り落ちたアウト球をパチンコ機外へ誘導するアウト球誘導樋７が連接され、このアウト球誘導樋７上にはアウト球が通行するアウト球放出流路８が形成されている。
【００１１】
セーフ球誘導樋４の先端部とアウト球誘導樋７の先端部との間にはセーフ球およびアウト球を集める集合部９が形成されている。
【００１２】
球磨きユニットＡは、パチンコ球がパチンコ機外からパチンコ機内へ供給されてパチンコ機内を通り、パチンコ機内からパチンコ機外へ放出されるまでに通行する球経路のうち、パチンコ機内からパチンコ機外へのパチンコ球の放出流路中に設置されている。
【００１３】
球磨きユニットＡは本例ではセーフ球およびアウト球を集めてパチンコ機外へ誘導する放出流路を通行する各パチンコ球をクリーニング処理する目的で設置され、セーフ球誘導樋４の先端部およびアウト球誘導樋７の先端部の下方でセット板２の後面に組付けられている。
【００１４】
球磨きユニットＡの球誘導ケース１０はセット板２に結合された前器体１０ａと、この前器体１０ａに結合されて前器体１０ａの後側に設置された後器体１０ｂとによって形成され、球誘導ケース１０内には集合部９に集められたパチンコ球をパチンコ機外に設置された回収ボックスへ誘導する球誘導通路１３が形成されている。
【００１５】
球誘導ケース１０の上端には球誘導通路１３の球入口１３ａが開設され、球誘導ケース１０の一端にはパチンコ球を垂直に転落させてパチンコ機外へ送り出すシュート樋１０ｃが形成され、このシュート樋１０ｃの下端には球出口１３ｂが開設されている。
【００１６】
球誘導通路１３にはパチンコ球が上方から上方へＵターン状に折り返して通行する折り返し路１４と、パチンコ球が折り返し路１４へ送り込まれるまでに通行する搬入路１５と、折り返し部１４を通り抜けたパチンコ球が通行する搬出路１６とが形成されている。
【００１７】
搬入路１５の途中には円弧面状に湾曲した路面１７ａを有し、パチンコ球が円弧移動状に曲進通行する第１の球磨き通路１７が形成され、搬出路１６の途中には第１の球磨き通路１７の路面１７ａの円弧中心を中心として円弧面状に湾曲した路面１８ａを有し、パチンコ球が円弧移動状に曲進通行する第２の球磨き通路１８が形成され、シュート樋１０ｃ内で第２の球磨き通路１８の先方にはパチンコ球を球誘導ケース１０外へ放出する放出通路１９が形成されている。
【００１８】
折り返し路１４に対向して球誘導ケース１０の下端に取付けられた球送りモータ２７の出力軸２７ａには球誘導ケース１０内の下端に設置され、折り返し路１４に進入したパチンコ球を順送りして搬出路１６へ送り出す球送り部材２０が結合され、この球送り部材２０には１個のパチンコ球を受渡しする１対の球受部２０ａが形成されている。
【００１９】
球誘導ケース１０内には球送り部材２０の上方に配設されて両球磨き通路１７，１８の路面１７ａ，１８ａの円弧中心を回転中心として回転し、両球磨き通路１７，１８を路面１７ａ，１８ａに沿って曲進通行するパチンコ球に回転しながら同時に接して接した各パチンコ球をクリーニングするローラ状のクリーニング部材２１が設置されている。
【００２０】
クリーニング部材２１は両球磨き通路１７，１８を曲進通行するパチンコ球によってその進行方向へ押動されてパチンコ球の進行方向へ回転駆動される。
【００２１】
クリーニング部材２１には円盤状の基部２１ａと、この基部２１ａの中心部に挿通され、球誘導ケース１０の後器体１０ｂに結合された蓋板２５の中心部に挿着された軸挿片２５ａおよび前器体１０ａの軸受部２３に嵌挿されたスリーブ２４によって回転可能に支持された軸部２１ｂと、基端部が基部２１ａにそれぞれ固着された状態で軸部２１ｂの回りに配列された多数個の可撓性の研磨片２２を有し、旋回しながらパチンコ球Ｐに接してパチンコ球Ｐをクリーニングする研磨部２１ｃとが形成されている。
【００２２】
クリーニング部材２１の各研磨片２２は超微粒子の研磨材とつや出しワックスとを起毛した長方形状の布片に含浸させて作製される。
【００２３】
球誘導ケース１０の下端にはクリーニング部材２１によってパチンコ球から脱落した汚れを球誘導ケース１０外へ取出す取出し口２６が開口されている。
【００２４】
集合部９から球誘導通路１３へ送り込まれたパチンコ球Ｐは第１の球磨き通路１７および第２の球磨き通路１８を曲進通行するときにそれぞれ路面１７ａ，１８ａを伝って回転しながらクリーニング部材２１に接し、クリーニング部材２１の各研磨片２２によってクリーニングされてから、放出路１９を通り抜けて球誘導ケース１０外へ放出される。
【００２５】
続いて、上記した構成を有する実施例の作用と効果を説明する。
本例ではパチンコ機内からパチンコ機外へ放出されるパチンコ球が通行する放出流路に設置された球誘導ケース１０内にはパチンコ球ＰがＵターン状に折り返して通行する折り返し路１４と、パチンコ球Ｐが折り返し路１４へ進入するまでに通行する搬入路１５と、折り返し路１４を通り抜けたパチンコ球Ｐが通行する搬出路１６とを有する球誘導通路１３を形成するとともに、球誘導ケース１０内には折り返し路１４へ進入したパチンコ球Ｐを順送りする球送り部材２０を設置し、搬入路１５の途中に形成されて円弧面状に湾曲した路面１７ａを有する第１の球磨き通路１７と、搬出路１６の途中に形成されて円弧面状に湾曲した路面１８ａを有する第２の球磨き通路１８との間には両路面１７ａ，１８ａの円弧中心を回転中心として回転しながらパチンコ球Ｐをクリーニングするクリーニング部材２１を設置してある。
【００２６】
このため、球磨きユニットＡをパチンコ球が通行する球経路中に設置するだけで、球経路を通行する各パチンコ球を先方へ給送しながら的確にクリーニング処理することができ、パチンコ球を給送してクリーニングする機構をユニット化および小型化してその設置スペースを縮小することができる。
【００２７】
また、球磨きユニットがパチンコ機毎に設置され、各パチンコ機で使用するパチンコ球をその球経路の途中でクリーニングするので、クリーニング処理能力がパチンコ機の台数に対して過不足となる不具合を解消することができる。
【００２８】
さらに、クリーニング部材２１が回転しながらパチンコ球Ｐに接してパチンコ球Ｐをクリーニングするので、各パチンコ球Ｐを均整かつ効果的にクリーニングすることができるとともに、クリーニング部材２１の各部の汚れ状態が平均化するので、クリーニング部材２１の使用期間を延長してその交換頻度を少くすることができる。
【００２９】
また、球誘導通路１３を通行するパチンコ球を折り返し路１４の前後で重復してクリーニングすることができ、各パチンコ球Ｐを効率的にクリーニングして各パチンコ球に対するクリーニング効果を高めることができる。
【００３０】
次に、図５に示す本発明の第２実施例について説明すると、本例では、第１実施例と同様に形成された球磨きユニットＡは、パチンコ球がパチンコ機外からパチンコ機内へ供給されてパチンコ機内を通り、パチンコ機内からパチンコ機外へ放出されるまでに通行する球経路のうち、パチンコ機外からパチンコ機内へのパチンコ球の供給流路中に設置されている。
【００３１】
各球磨きユニットＡは、パチンコホールの同列内の各パチンコ機上に横架された木枠３０にそれぞれ取付けられるとともに、各球磨きユニットＡは、同列内の各パチンコ機の上方に装架されてパチンコ球を同列内の各パチンコ機に分配する分配樋３１に各パチンコ機の上方でそれぞれ接続された各シュート管３２と、各パチンコ機の球タンク３３との間にそれぞれ設置されている。
【００３２】
球磨きユニットＡの球誘導ケース１０内の球誘導通路１３の球入口１３ａはシュート管３２に接続され、分配樋３１内からシュート管３２内および球入口１３ａを通って球誘導通路１３へ導入された各パチンコ球は球出口１３ｂを通じて球タンク３３内へ送り込まれる。
【００３３】
次に、図６、図７に示す本発明の第３実施例では、球磨きユニットＡは第１実施例と同様にパチンコ機内からパチンコ機外へのパチンコ球の放出流路中に賞品球放出ケース３と隣り合って設置されている。
【００３４】
前器体１０ａＡと後器体１０ｂＡによって形成された球誘導ケース１０Ａの上端はセーフ球誘導樋４の先端部とアウト球誘導樋７の先端部とに接続され、球誘導ケース１０Ａの一端部にはパチンコ球をパチンコ機外の回収ボックス内へ放出するシュート樋１０ｃＡが形成されている。
【００３５】
球誘導ケース１０Ａ内の球誘導通路１３Ａにはパチンコ球Ｐが横方向から横方向へＵターン状に折り返して通行する折り返し路１４Ａと、搬入路１５Ａと、搬出路１６Ａとが形成され、搬出路１６Ａの途中にはパチンコ球Ｐが曲進通行する球磨き通路１８Ａが形成され、シュート樋１０ｃＡ内には球磨き通路１８Ａを通り抜けたパチンコ球をパチンコ機外へ誘導する放出通路１９Ａが形成されている。
【００３６】
搬出路１６Ａの始端部付近はパチンコ球が自重で転がるように緩やかな勾配で傾斜した形状に形成されている。
【００３７】
球誘導ケース１０Ａに取付けられた球送りモータ２７Ａの出力軸２７ａＡには球誘導ケース１０Ａ内に設置されて搬出路１６Ａの始端部付近を通行するパチンコ球Ｐを順送りする球送り部材２０Ａが結合されている。
【００３８】
球誘導ケース１０Ａには基部２１ａＡと、軸部２１ｂＡと、研磨部２１ｃＡとを有し、球磨き通路１８Ａを曲進通行するパチンコ球Ｐに回転しながら接して接した各パチンコ球をクリーニングするクリーニング部材２１Ａが回転可能に軸支され、球誘導通路１３Ａへ送り込まれたパチンコ球は球磨き通路１８Ａでクリーニング部材２１Ａによってクリーニングされてから、放出通路１９Ａを通って球誘導ケース１０Ａ外へ放出される。
【００３９】
球送りモータ２７Ａの出力軸２７ａＡに結合された駆動ギヤ４０は球誘導ケース１０Ａに軸支された第１中間ギヤ４１に噛合わされ、第１中間ギヤ４１と噛合った状態で球誘導ケース１０Ａに軸支された第２中間ギヤ４２はクリーニング部材２１Ａの軸部２１ｂＡに結合された従動ギヤ４３に噛合わされ、球送りモータ２７Ａの出力軸２７ａＡの回転が各ギヤ４０，４１，４２，４３を介してクリーニング部材２１Ａの軸部２１ｂＡに伝達されてクリーニング部材２１Ａが球送り部材２０Ａの回転方向の反対方向へ回転駆動される。
【００４０】
第３実施例によれば、パチンコ球が自重で転動するように形成された搬出路１６Ａの始端部を通行するパチンコ球を球送り部材２０Ａによって僅かな力で先方へ押送することができ、球送り部材２０Ａに加わる負荷を低減して球送り機構を小型化することができる。
【図面の簡単な説明】
【図１】  本発明の第１実施例を示す要部の裏面図である。
【図２】  同じく、球磨きユニットの裏面図である。
【図３】  図２のＸ１−Ｘ１線断面図である。
【図４】  図２のＸ２−Ｘ２線断面図である。
【図５】  本発明の第２実施例を示す要部の裏面図である。
【図６】  本発明の第３実施例を示す要部の裏面図である。
【図７】  図６のＸ３−Ｘ３線拡大断面図である。
【符号の説明】
１０，１０Ａ  球誘導ケース
１３，１３Ａ  球誘導通路
１４，１４Ａ  折り返し路
１５，１５Ａ  搬入路
１６，１６Ａ  搬出路
１７，１８，１８Ａ  球磨き通路
２０，２０Ａ  球送り部材
２１，２１Ａ  クリーニング部材
【図１】
0003854988.tif 000002
【図２】
0003854988.tif 000003
【図３】
0003854988.tif 000004
【図４】
0003854988.tif 000005
【図５】
0003854988.tif 000006
【図６】
0003854988.tif 000007
【図７】
0003854988.tif 000008